(57)【特許請求の範囲】
【請求項１】
コンクリート製アーチ橋のアーチリブを架設する方法であって、アーチリブ両端位置からの張出し架設により１対の張出し架設部を構築した後、これら張出し架設部をアーチリブ中央位置においてメラン材により閉合するとともに、このメラン材をコンクリートで巻き立てることによりメラン架設部を構築する、アーチリブの架設方法において、
上記メラン材の両側部を構成する１対の主構を、上記メラン架設部の両側部を構成する１対のウェブの内側面に露出させるように配置した状態で、上記メラン材に対するコンクリートの巻き立てを行う、ことを特徴とするアーチリブの架設方法。
【請求項２】
上記各主構としてボックス型ガーダを用いる、ことを特徴とする請求項１記載のアーチリブの架設方法。
【請求項３】
上記メラン材において上記両主構を連結する架構の上端位置を、上記各主構の上端位置よりも所定寸法下方位置に設定する、ことを特徴とする請求項１または２記載のアーチリブの架設方法。
【請求項４】
上記メラン材において上記両主構を連結する架構の下端位置を、上記各主構の下端位置よりも所定寸法上方位置に設定する、ことを特徴とする請求項１〜３いずれか記載のアーチリブの架設方法。
【発明の詳細な説明】
【０００１】
【発明の属する技術分野】
本願発明は、コンクリート製アーチ橋におけるアーチリブの架設方法に関するものである。
【０００２】
【従来の技術】
従来より、コンクリート製アーチ橋のアーチリブを架設する方法として、いわゆるメラン工法が知られている。
【０００３】
このメラン工法においては、アーチリブ両端位置からの張出し架設により１対の張出し架設部を構築した後、これら張出し架設部をアーチリブ中央位置においてメラン材（鋼製の補強材）により閉合するとともに、このメラン材をコンクリートで巻き立てることによりメラン架設部を構築するようになっている。
【０００４】
図４は、このようにして架設されたアーチリブのメラン架設部１０２を示す断面図である。図示のように、メラン材１０４の両側部を構成する１対の主構１０６は、メラン架設部１０２の両側部を構成する１対のウェブ１０８の内部に配置されており、その全周にわたってコンクリートで巻き立てられている。
【０００５】
【発明が解決しようとする課題】
しかしながら、上記従来の架設方法においては次のような問題がある。
【０００６】
すなわち、図５に示すように、メラン材１０４は、張出し架設部の閉合完了時点では対傾構１１０や横構１１２が設けられた状態にあるが、これらはコンクリート打設の際に設置されるウェブ１０８の内型枠と干渉してしまうのでコンクリート打設前に撤去する必要があり、このためコンクリート巻き立て工程が非常に煩雑になってしまうという問題がある。また、対傾構や横構が撤去されることにより、メラン材１０４のねじり剛性が低下してしまうという問題もある。
【０００７】
本願発明は、このような事情に鑑みてなされたものであって、コンクリート製アーチ橋のアーチリブをメラン工法により架設する場合において、メラン架設部の施工性向上および安全性向上を図ることができるアーチリブの架設方法を提供することを目的とするものである。
【０００８】
【課題を解決するための手段】
本願発明は、コンクリート巻き立て時におけるメラン材の主構の配置に工夫を施すことにより、上記目的達成を図るようにしたものである。
【０００９】
すなわち、本願発明に係るアーチリブの架設方法は、
コンクリート製アーチ橋のアーチリブを架設する方法であって、アーチリブ両端位置からの張出し架設により１対の張出し架設部を構築した後、これら張出し架設部をアーチリブ中央位置においてメラン材により閉合するとともに、このメラン材をコンクリートで巻き立てることによりメラン架設部を構築する、アーチリブの架設方法において、
上記メラン材の両側部を構成する１対の主構を、上記メラン架設部の両側部を構成する１対のウェブの内側面に露出させるように配置した状態で、上記メラン材に対するコンクリートの巻き立てを行う、ことを特徴とするものである。
【００１０】
上記各「主構」は、ウェブの内側面に露出させるように配置可能なものであれば、その具体的構成は特に限定されるものではない。
【００１１】
上記「ウェブの内側面に露出させるように配置した状態」とは、ウェブ構成要素としての主構を、ウェブの内部ではなくウェブの内側面に位置するように配置した状態を意味するものである。
【００１２】
【発明の作用効果】
上記構成に示すように、本願発明に係るアーチリブの架設方法は、１対の張出し架設部をメラン材で閉合した後、このメラン材をコンクリートで巻き立てるようになっているが、その際、メラン材の両側部を構成する１対の主構を、メラン架設部の両側部を構成する１対のウェブの内側面に露出させるように配置した状態で、コンクリートの巻き立てを行うようになっているので、次のような作用効果を得ることができる。
【００１３】
すなわち、各主構が各ウェブの内側面に露出しているので、これら各主構をコンクリート打設用の内型枠として兼用することができ、これにより内型枠を不要とすることができる。したがって従来のように、両主構を連結する対傾構や横構等の架構を、内型枠との干渉回避を図るためにコンクリート打設前に撤去する必要もなくすことができる。そしてこれによりメラン架設部の施工性を向上させることができる。また、架構を撤去する必要がなくなるので、メラン材のねじり剛性が低下してしまうのを防止することができ、これにより施工時の安全性を高めることができる。
【００１４】
このように本願発明によれば、コンクリート製アーチ橋のアーチリブをメラン工法により架設する場合において、メラン架設部の施工性向上および安全性向上を図ることができる。
【００１５】
しかも本願発明においては、架構をアーチリブの架設完了後も残すことにより、メラン架設部のねじり剛性を高めることができる。
【００１６】
さらに本願発明においては、コンクリートを従来のように各主構の内外両側に打設する必要がなく、外側にのみ打設すれば足りるので、コンクリート打設性能を向上させることができる。また、コンクリートを巻き立てる際の鉄筋配置も容易に行うことができる。
【００１７】
上記各「主構」の具体的構成が特に限定されないことは上述したとおりであるが、ボックス型ガーダを用いるようにすれば、各主構に内型枠の機能を持たせるようにした上で、メラン架設部の剛性向上を図ることができる。
【００１８】
上記構成において、両主構を連結する架構の具体的構成は特に限定されるものでないが、この架構の上端位置を各主構の上端位置よりも所定寸法下方位置に設定するようにすれば、上床版のコンクリート打設用の型枠や根太を容易に設置することができ、これにより施工性を一層向上させることができる。また、この架構の下端位置を、各主構の下端位置よりも所定寸法上方位置に設定するようにすれば、下床版のコンクリート上面の均し作業等を容易に行うことができる。
【００１９】
【発明の実施の形態】
以下、図面を用いて、本願発明の実施の形態について説明する。
【００２０】
図１は、本願発明の一実施形態に係るアーチリブの架設方法の概要工程を示す側面図である。
【００２１】
同図（ａ）に示すように、アーチリブ両端位置からの張出し架設により１対の張出し架設部１２を構築した後、これら張出し架設部１２をアーチリブ中央位置においてメラン材１４により閉合し、その後、同図（ｂ）に示すように、このメラン材１４を、ワーゲン５０を用いて、その両端部から順次コンクリートで巻き立てることにより、同図（ｃ）に示すように、メラン架設部１６を構築し、これによりアーチリブ１０の架設を完了させるようになっている。
【００２２】
図２は、メラン架設部１６を詳細に示す、図１のII-II 線断面拡大図である。また、図３は、メラン材１４の一部を、該メラン材１４がコンクリートで巻き立てられる前の状態で示す断面詳細図である。
【００２３】
これらの図に示すように、メラン架設部１６は、左右１対のウェブ１８と上床版２０および下床版２２とで箱桁状に形成されている。このメラン架設部１６の全幅は約７ｍで、その全高は約２．５ｍである。そして、ウェブ１８のコンクリート厚は約５０ｃｍ、上床版２０および下床版２２のコンクリート厚は各々約３０ｃｍである。
【００２４】
メラン材１４は、左右１対の主構２４と、これら１対の主構２４を連結する架構２６とからなっている。
【００２５】
各主構２４は、ボックス型ガーダからなり、幅約８０ｃｍで縦長に形成されている。そして、これら各主構２４は、メラン架設部１６の各ウェブ１８の内側面１８ａに露出するように配置されている。
【００２６】
架構２６は、複数の対傾構２８および横構３０等からなっている。そして、この架構２６は、その上端位置が各主構２４の上端位置よりも所定寸法ｈ１（例えばｈ１＝１０〜２０ｃｍ程度）下方位置に設定されており、その下端位置が各主構２４の下端位置よりも所定寸法ｈ２（例えばｈ２＝１０〜２０ｃｍ程度）上方位置に設定されている。そして、この架構２６は、アーチリブ１０の架設完了後もそのまま撤去されずに残されるようになっている。
【００２７】
次に、本実施形態の作用効果について説明する。
【００２８】
本実施形態においては、１対の張出し架設部１２をメラン材１４で閉合した後、このメラン材１４をコンクリートで巻き立てることにより、アーチリブ１０の架設を行うようになっているが、その際、メラン材１４の両側部を構成する１対の主構２４を、メラン架設部１６の両側部を構成する１対のウェブ１８の内側面１８ａに露出させるように配置した状態で、コンクリートの巻き立てを行うようになっているので、次のような作用効果を得ることができる。
【００２９】
すなわち、各主構２４が各ウェブ１８の内側面１８ａに露出しているので、これら各主構２４をコンクリート打設用の内型枠として兼用することができ、これにより内型枠を不要とすることができる。したがって従来のように、両主構２４を連結する対傾構２８や横構３０等の架構２６を、内型枠との干渉回避を図るためにコンクリート打設前に撤去する必要もなくすことができ、これによりメラン架設部１６の施工性を向上させることができる。また、架構２６を撤去する必要がなくなるので、メラン材１４のねじり剛性が低下してしまうのを防止することができ、これにより施工時の安全性を高めることができる。
【００３０】
このように本実施形態によれば、コンクリート製アーチ橋のアーチリブをメラン工法により架設する場合において、メラン架設部の施工性向上および安全性向上を図ることができる。
【００３１】
しかも本実施形態においては、架構２６をアーチリブ１０の架設完了後も残すようにしているので、メラン架設部１６のねじり剛性を高めることができる。
【００３２】
さらに本実施形態においては、コンクリートを従来のように各主構２４の内外両側に打設する必要がなく、外側にのみ打設すれば足りるので、コンクリート打設性能を向上させることができる。また、コンクリートを巻き立てる際の鉄筋配置も容易に行うことができる。
【００３３】
特に本実施形態においては、各主構２４としてボックス型ガーダを用いているので、各主構２４に内型枠の機能を持たせるようにした上で、メラン架設部１６の剛性向上を図ることができる。
【００３４】
また本実施形態においては、架構２６の上端位置が各主構２４の上端位置よりも所定寸法ｈ１下方位置に設定されているので、上床版２０のコンクリート打設用の型枠や根太を容易に設置することができ、これにより施工性を一層向上させることができる。また、架構２６の下端位置が各主構２４の下端位置よりも所定寸法ｈ２上方位置に設定されているので、下床版２２のコンクリート上面の均し作業等を容易に行うことができる。
【図面の簡単な説明】
【図１】本願発明の一実施形態に係るアーチリブの架設方法の概要工程を示す側面図
【図２】上記アーチリブのメラン架設部を詳細に示す、図１のII-II 線断面拡大図
【図３】上記アーチリブのメラン材の一部を、該メラン材がコンクリートで巻き立てられる前の状態で示す断面詳細図
【図４】従来例を示す、図２と同様の図
【図５】上記従来例を示す、図３と同様の図
【符号の説明】
１０  アーチリブ
１２  張出し架設部
１４  メラン材
１６  メラン架設部
１８  ウェブ
１８ａ  内側面
２０  上床版
２２  下床版
２４  主構
２６  架構
２８  対傾構
３０  横構
５０  ワーゲン
【図１】
0004425500.tif 000002
【図２】
0004425500.tif 000003
【図３】
0004425500.tif 000004
【図４】
0004425500.tif 000005
【図５】
0004425500.tif 000006